【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
動力で畑を走行する機体に、機体の走行前部に設けられて畑表土から農作物を拾い上げて又は掘り出して所定高さまで持ち上げる拾い上げ装置と、同拾い上げ装置で持ち上げられてくる農作物及び土塊・石・植物の茎又は葉の非農作物とを水平に搬送する上方を開放した無端コンベヤであって搬送中に作業者が農作物と非農作物との選別又は農作物を品質で選別できるようにするための選別コンベヤと、同選別コンベヤの途中又は終端で選別された農作物を回収する回収容器とを設けた農作物拾い上げ機であって、
選別コンベヤの搬送路の平面形状がコーナーが円弧状となった略ロ字状であってその前辺の路中に拾い上げ装置からの農作物及び非農作物を移載する構造とし、略ロ字状の選別コンベヤの一方の側辺及び後辺の搬送路を作業者による選別領域とし、更に選別コンベヤの後辺又はそれを過ぎた途中で農作物を落下させて回収容器へ投入する落下部を形成したことを特徴とする農作物拾い上げ機。
【請求項２】
選別コンベヤが、駆動装置によって回動される略ロ字状に水平に張架された無端索体と、同索体に沿って所定ピッチで索体に取り付けられた片持の複数の農作物搬送用受部材と、同受部材の先端部を下方から受け止めて受部材を落下部を除いて水平に支持する無端索体の送り方向に延びたガイド部材とから構成されるとともに、回収容器を下方に配置した落下部で無端索体に取り付けた受部材の先端が水平から大きく下方に傾くか又は鉛直になるようにガイド部材が低い位置に配置するか又は欠落させて受部材上の農作物が下方に落下して回収容器に投入されるようにした、請求項１記載の農作物拾い上げ機。
【請求項３】
受部材が農作物を中間で載置するに充分な長さのもので、一本の略ロ字状に張架された無端索体に沿って所定ピッチに受部材の基端が取り付けられ且つその先端が外方向に向くようにされ、落下部を除いて無端索体の外側に設けたガイド部材で受部材先端部が下方から支持され水平を保つようにした、請求項２記載の農作物拾い上げ機。
【請求項４】
略ロ字状に張架された無端索体が同一平面で内外２本設け、駆動装置は内外の一対の無端索体を同速で送り、受部材は各内外の無端索体に取り付けられ、しかも受部材先端が互い近接して対向するように取り付けられ、各受部材の先端部下方にガイド部材を内外２本設け、しかも略ロ字状のコーナーの位置では外側の隣り合う受部材が重ならないようにコーナーに向けて受部材を徐々に上方へ持ち上げ、コーナーを過ぎると水平に高さを戻すように整形し、又落下部では一対の対向する受部材の先端部が下方に傾くように又は鉛直になるようにガイド部材を低く又はなくすようにした、請求項２記載の農作物拾い上げ機。
【請求項５】
略ロ字状の選別コンベヤのコーナー部分において、ガイド部材の下方に農作物の受部材からの落下を防ぐ農作物落下防止体を設けた、請求項２，３，４いずれかに記載の農作物拾い上げ機。
【請求項６】
受部材に農作物の転がり又は滑りを防止する強制送り羽根を設けた、請求項２〜５いずれかに記載の農作物拾い上げ機。
【請求項７】
ガイド部材を振動させる加振手段を設け、ガイド部材を振動させることで受部材を加振して非農作物を篩い落とし易くした、請求項２〜６いずれかに記載の農作物拾い上げ機。
【請求項８】
受部材が略Ｕ字状のフォークの基端を無端索体に枢着し、フォークの先端部下方の棒状のガイド部材で水平に支持した構造とした、請求項２〜７いずれかに記載の農作物拾い上げ機。
【請求項９】
機体を走行する動力源の走行用回動軸と連動した回転軸の出力によって拾い上げ装置及び選別コンベヤが駆動され、機体の走行速度と拾い上げ装置と選別コンベヤの搬送速度が同期して増減することを特徴とする、請求項１〜８記載の農作物拾い上げ機。
【請求項１０】
機体の走行用車輪の駆動と、拾い上げ装置と、選別コンベヤとの動力源となるエンジンを略ロ字状の選別コンベヤのコンベヤで囲まれた中央部に配置した、請求項１記載の農作物拾い上げ機。
【手続補正２】
【補正対象書類名】明細書
【補正対象項目名】０００６
【補正方法】変更
【補正の内容】
【０００６】
かかる課題を解決した本発明の構成は、
１）  動力で畑を走行する機体に、機体の走行前部に設けられて畑表土から農作物を拾い上げて又は掘り出して所定高さまで持ち上げる拾い上げ装置と、同拾い上げ装置で持ち上げられてくる農作物及び土塊・石・植物の茎又は葉の非農作物とを水平に搬送する上方を開放した無端コンベヤであって搬送中に作業者が農作物と非農作物との選別又は農作物を品質で選別できるようにするための選別コンベヤと、同選別コンベヤの途中又は終端で選別された農作物を回収する回収容器とを設けた農作物拾い上げ機であって、
選別コンベヤの搬送路の平面形状がコーナーが円弧状となった略ロ字状であってその前辺の路中に拾い上げ装置からの農作物及び非農作物を移載する構造とし、略ロ字状の選別コンベヤの一方の側辺及び後辺の搬送路を作業者による選別領域とし、更に選別コンベヤの後辺又はそれを過ぎた途中で農作物を落下させて回収容器へ投入する落下部を形成したことを特徴とする農作物拾い上げ機
２）  選別コンベヤが、駆動装置によって回動される略ロ字状に水平に張架された無端索体と、同索体に沿って所定ピッチで索体に取り付けられた片持の複数の農作物搬送用受部材と、同受部材の先端部を下方から受け止めて受部材を落下部を除いて水平に支持する無端索体の送り方向に延びたガイド部材とから構成されるとともに、回収容器を下方に配置した落下部で無端索体に取り付けた受部材の先端が水平から大きく下方に傾くか又は鉛直になるようにガイド部材が低い位置に配置するか又は欠落させて受部材上の農作物が下方に落下して回収容器に投入されるようにした、前記１）記載の農作物拾い上げ機
３）  受部材が農作物を中間で載置するに充分な長さのもので、一本の略ロ字状に張架された無端索体に沿って所定ピッチに受部材の基端が取り付けられ且つその先端が外方向に向くようにされ、落下部を除いて無端索体の外側に設けたガイド部材で受部材先端部が下方から支持され水平を保つようにした、前記２）記載の農作物拾い上げ機
４）  略ロ字状に張架された無端索体が同一平面で内外２本設け、駆動装置は内外の一対の無端索体を同速で送り、受部材は各内外の無端索体に取り付けられ、しかも受部材先端が互い近接して対向するように取り付けられ、各受部材の先端部下方にガイド部材を内外２本設け、しかも略ロ字状のコーナーの位置では外側の隣り合う受部材が重ならないようにコーナーに向けて受部材を徐々に上方へ持ち上げ、コーナーを過ぎると水平に高さを戻すように整形し、又落下部では一対の対向する受部材の先端部が下方に傾くように又は鉛直になるようにガイド部材を低く又はなくすようにした、前記２）記載の農作物拾い上げ機
５）  略ロ字状の選別コンベヤのコーナー部分において、ガイド部材の下方に農作物の受部材からの落下を防ぐ農作物落下防止体を設けた、前記２），３），４）いずれかに記載の農作物拾い上げ機
６）  受部材に農作物の転がり又は滑りを防止する強制送り羽根を設けた、前記２）〜５）いずれかに記載の農作物拾い上げ機
７）  ガイド部材を振動させる加振手段を設け、ガイド部材を振動させることで受部材を加振して非農作物を篩い落とし易くした、前記２）〜６）いずれかに記載の農作物拾い上げ機
８）  受部材が略Ｕ字状のフォークの基端を無端索体に枢着し、フォークの先端部下方の棒状のガイド部材で水平に支持した構造とした、前記２）〜７）いずれかに記載の農作物拾い上げ機
９）  機体を走行する動力源の走行用回動軸と連動した回転軸の出力によって拾い上げ装置及び選別コンベヤが駆動され、機体の走行速度と拾い上げ装置と選別コンベヤの搬送速度が同期して増減することを特徴とする、前記１）〜８）記載の農作物拾い上げ機
１０）  機体の走行用車輪の駆動と、拾い上げ装置と、選別コンベヤとの動力源となるエンジンを略ロ字状の選別コンベヤのコンベヤで囲まれた中央部に配置した、前記１）記載の農作物拾い上げ機
にある。
本発明の選別コンベヤの「略ロ字状」とは、コーナーが円弧状となっている平面コンベヤ路が長方形又は正方形状のもの、あるいは前後辺又は左右側辺の長さが異にする台形状のもの、５角形・６角形状等の多角形状に近いもの、円形状に近いもの、及び送り方向に長い長円状も含む。又選別コンベヤの「水平に」の「水平」とは、農作物が受部材から自重、慣性力、搬送力あるいは振動によって移動して落下しない程に保持するものであり、これがかなう範囲で多少の傾斜、高低差があってもよい。本発明の「受部材」は、小さな非農作物を落下できる間隙・開口があるフォーク、網板、くし歯状のもの及び孔・スリットの開口がある板状体でもよい。あるいは、上部で農作物と大きな非農作物を支持して、その底方を小さな非農作物を受けるパレット状としたものでもよい。更に、受部材の中央を少し凹まして農作物を安定して載置できるようにしてもよい。
本発明の選別コンベヤの「落下部」の落下手段としては、受部材が傾いて又は鉛直に吊られるようになって受部材上の農作物が下方に落下するようにしてもよいし、又はコンベヤ上面にスクレーパ板を設けて受部材上の農作物だけをスクレーパ板でコンベヤ路外の下方へ誘導するようにしてもよい。又は受部材上の農作物を進退するプッシャーでコンベヤ外へ移動して下方に落下させるようにしてもよい。
本発明の選別コンベヤの「無端索体」としては、無端チェーン、無端ワイヤ、無端ロープ、無端ベルト等がある。
本発明の拾い上げコンベヤ・選別コンベヤの動力は、走行の為の動力と共通でも又は独立したものいずれでもよいが、同じ動力（運動方式）の方が走行速度に応じて拾い上げコンベヤ・選別コンベヤの送り速度が自動的に増減できるので好ましい。
【手続補正３】
【補正対象書類名】明細書
【補正対象項目名】００１９
【補正方法】変更
【補正の内容】
【００１９】
機体１は一般的農作業機と同じようにエンジン２を動力源として、その動力は、畦溝上を走行する左右の大きい車輪３を駆動して走行できる。図示していないが、左右の車輪３の間隔は調整可能となっている。更に、機体の前方には前車輪が高さ可変に取り付けられている（図示せず）。これによって拾い上げ装置４の下端高さを可変にしている。機体の走行の操作部はハンドルに取り付けられている。又、拾い上げ装置４にエンジン２の動力を伝達させて作動させる操作部も機体後部に取り付けられている。又、選別コンベヤ５の作動・停止の操作部も機体後部に設けられていて、エンジン２の動力を駆動源としている。エンジン２は、略ロ字状の選別コンベヤ５の中央部に配置され、選別コンベヤ５の中央部の空間を有効利用するとともに、農作物拾い上げ機の全体の重心位置を左右及び前後でバランスのよい中央部にして、安定した走行・作業を可能とする。